(57)【特許請求の範囲】
【請求項１】
扱胴（１０）の下側に扱網（１５）を設けて脱穀室（１１）を形成し、該脱穀室（１１）の一側には穀稈を供給搬送する穀稈供給搬送装置（１２）を設け、前記脱穀室（１１）の下方に唐箕ケーシング（１７）により包囲された唐箕（１６）からの送風により風選する風選室（１８）を設け、該風選室（１８）に往復揺動する揺動選別棚（２０）により構成した揺動選別装置（２１）を設け、前記揺動選別棚（２０）は、その揺動選別棚（２０）の始端部を唐箕ケーシング（１２）の上方に臨ませた移送棚部（２２）に形成し、移送棚部（２２）の被選別物移送方向の下手側にシーブ（２３）を設け、シーブ（２３）は脱穀室（１１）の排出口（２５）よりも上手側に設けた傾斜角度が固定の始端側固定シーブ（２６）と、排出口（２５）の下方から下手側に設けた傾斜角度調節自在の終端側可動シーブ（２５）とにより構成し、前記始端側固定シーブ（２６）は前記終端側可動シーブ（２７）よりも間隔を狭くして並設し、前記始端側固定シーブ（２６）には、該始端側固定シーブ（２６）と直交する方向のプレート（３０）を始端側固定シーブ（２６）の長さ方向に移動自在に設け、前記プレート（３０）の下縁を、前記揺動選別棚（２０）の傾斜底板（３３）の上面に近接させて設けたことを特徴とする脱穀装置。
【請求項２】
請求項１記載の脱穀装置において、前記プレート（３０）は縦向きの平板状に形成し、各プレート（３０）には前記始端側固定シーブ（２６）のフィン（３１）の断面形状に合わせた透孔（３４）を複数形成し、各透孔（３４）に各フィン（３１）を挿通して取付け、前記始端側固定シーブ（２６）のフィン（３１）の複数の透孔（３４）のうちの二つのガイド透孔（３４Ａ）は他の透孔（３４Ｂ）に比してフィン（３１）との隙間が小となるように、透孔（３４）とフィン（３１）とを相対的に形成したことを特徴とする脱穀装置。
【請求項３】
請求項１または請求項２記載の脱穀装置において、前記プレート（３０）には、前記揺動選別棚（２０）の始端部の移送棚部（２２）上面を摺接移動する前側延長部（３７）を一体的に移動するように設けたことを特徴とする脱穀装置。
【請求項４】
請求項１または請求項２または請求項３記載の脱穀装置において、前記脱穀室（１１）の排出口（２５）の下方の揺動選別棚（２０）には、前記排出口（２５）から排出される被処理物を受ける左右方向の受部材（４７）を設け、前記プレート（３０）はフィン（３１）および受部材（４７）に対して移動自在に透孔（３４）および透孔（４８）を挿通させて取付けた脱穀装置。
【請求項５】
請求項４記載の脱穀装置において、前記プレート（３０）は左右方向に複数並設し、各プレート（３０）がフィン（３１）および受部材（４７）に対して移動するように構成すると共に、前記各プレート（３０）に設けた可動ラック（５０）の間の受部材（４７）には固定式ラック（５１）を設けた脱穀装置。
【発明の詳細な説明】
【技術分野】
【０００１】
本発明は、コンバイン等の脱穀装置に係るものである。
【背景技術】
【０００２】
従来、脱穀室の下方に揺動選別装置を設け、揺動選別棚には、脱穀室からの落下物から穀粒を選別するシーブを設け、該シーブに付着した藁屑を除去する清掃手段を設けた構成は、公知である（特許文献１参照）。
【特許文献１】特開２００４−８１０７４号公報
【発明の開示】
【発明が解決しようとする課題】
【０００３】
前記公知例は、シーブの設置間隔が同一なため、前側のシーブでは藁屑の落下が多くなり、後側のシーブでは藁屑が詰まるという課題がある。
また、全てのシーブの藁屑の付着を清掃する構成のため、構造が複雑になり、コスト上昇の原因となる課題がある。
本願は、シーブの構成を工夫して、脱穀選別処理精度および処理効率を向上させるようにしたものである。
【課題を解決するための手段】
【０００４】
請求項１の発明は、扱胴１０の下側に扱網１５を設けて脱穀室１１を形成し、該脱穀室１１の一側には穀稈を供給搬送する穀稈供給搬送装置１２を設け、前記脱穀室１１の下方に唐箕ケーシング１７により包囲された唐箕１６からの送風により風選する風選室１８を設け、該風選室１８に往復揺動する揺動選別棚２０により構成した揺動選別装置２１を設け、前記揺動選別棚２０は、その揺動選別棚２０の始端部を唐箕ケーシング１２の上方に臨ませた移送棚部２２に形成し、移送棚部２２の被選別物移送方向の下手側にシーブ２３を設け、シーブ２３は脱穀室１１の排出口２５よりも上手側に設けた傾斜角度が固定の始端側固定シーブ２６と、排出口２５の下方から下手側に設けた傾斜角度調節自在の終端側可動シーブ２５とにより構成し、前記始端側固定シーブ２６は前記終端側可動シーブ２７よりも間隔を狭くして並設し、前記始端側固定シーブ２６には、該始端側固定シーブ２６と直交する方向のプレート３０を始端側固定シーブ２６の長さ方向に移動自在に設け、前記プレート３０の下縁を、前記揺動選別棚２０の傾斜底板３３の上面に近接させて設けたことを特徴とする脱穀装置としたものであり、刈り取られた穀稈は、脱穀室１１で回転する扱胴１０により脱穀され、脱穀室１１の始端部では多くの穀粒が扱網１５から漏下して揺動選別棚２０の移送棚部２２上に落下し、移送棚部２２により移送されてシーブ２３の間隔の狭い始端側固定シーブ２６により選別されて、一番コンベアに回収される。
したがって、一番物への藁屑の混入を抑制する。
また、始端側固定シーブ２６より落下しない被処理物は終端側可動シーブ２７へ移送され、穀粒は落下させて、藁屑等は後方に移送して排出する。
この場合、始端側固定シーブ２６は終端側可動シーブ２７よりも間隔を狭くしているので、藁屑が付着すると、始端側固定シーブ２６の間の隙間が塞がって穀粒の落下の障害となるが、プレート３０により藁屑を除去するので、始端側固定シーブ２６を終端側可動シーブ２７より間隔を狭くしても、脱穀室１１の始端部で発生する多くの穀粒を効率よくしかも藁屑の混入を抑制して回収する。
また、プレート３０が左右方向にスライドすると、揺動選別棚２０の傾斜底板３３の上面の付着物を除去する。
請求項２の発明は、前記プレート３０は縦向きの平板状に形成し、各プレート３０には前記始端側固定シーブ２６のフィン３１の断面形状に合わせた透孔３４を複数形成し、各透孔３４に各フィン３１を挿通して取付け、前記始端側固定シーブ２６のフィン３１の複数の透孔３４のうちの二つのガイド透孔３４Ａは他の透孔３４Ｂに比してフィン３１との隙間が小となるように、透孔３４とフィン３１とを相対的に形成したことを特徴とする脱穀装置としたものであり、プレート３０がスライドするとき、フィン３１の上下両面の付着物を除去する。また、始端側固定シーブ２６のフィン３１の複数の透孔３４のうちの二つのガイド透孔３４Ａがプレート３０の移動を案内する。
請求項３の発明は、前記プレート３０には、前記揺動選別棚２０の始端部の移送棚部２２上面を摺接移動する前側延長部３７を一体的に移動するように設けたことを特徴とする脱穀装置としたものであり、プレート３０が左右方向にスライドすると、揺動選別棚２０の移送棚部２２上面の付着物を除去する。
請求項４の発明は、前記脱穀室１１の排出口２５の下方の揺動選別棚２０には、前記排出口２５から排出される被処理物を受ける左右方向の受部材４７を設け、前記プレート３０はフィン３１および受部材４７に対して移動自在に透孔３４および透孔４８を挿通させて取付けた脱穀装置としたものであり、プレート３０が左右方向にスライドすると、受部材４７の付着物を除去する。
請求項５の発明は、前記プレート３０は左右方向に複数並設し、各プレート３０がフィン３１および受部材４７に対して移動するように構成すると共に、前記各プレート３０に設けた可動ラック５０の間の受部材４７には固定式ラック５１を設けた脱穀装置としたものであり、可動ラック５０がプレート３０と共に一体的に移動することにより、排出口２５からの被処理物を分散落下させ、また、固定式ラック５１に対して可動ラック５０を移動させることにより、可動ラック５０と固定式ラック５１との間隔を変化させて可動ラック５０および固定式ラック５１上に載った被処理物の捌きを良好にする。
【発明の効果】
【０００５】
請求項１の発明では、脱穀室１１の始端部で発生する多くの穀粒を間隔の狭い始端側固定シーブ２６により効率よくしかも藁屑の混入を抑制して回収することができ、間隔を狭くした始端側固定シーブ２６でもプレート３０により藁屑を除去するので、始端側固定シーブ２６の間の隙間が塞がるのを防止して穀粒の落下の障害の発生を防止でき、選別効率を向上できると共に、シーブ２３の一部の始端側固定シーブ２６にプレート３０を設けているので、構成を簡素にして、コストを軽減できる。
また、プレート３０が揺動選別棚２０の傾斜底板３３の上面の付着物を除去でき、選別効率を向上できる。
請求項２の発明では、請求項１の上記効果を奏するほかに、フィン３１の上下両面の付着物を除去でき、選別効率を向上できる。また、プレート３０のスライドを円滑にでき、フィン３１の上下両面の付着物を容易に除去して、選別効率を向上できる。
請求項３の発明では、請求項１または請求項２の上記効果を奏するほかに、プレート３０のスライドにより揺動選別棚２０の移送棚部２２上面の付着物の除去ができ、選別効率を向上できる。
請求項４の発明では、請求項１または請求項２または請求項３の上記効果を奏するほかに、プレート３０のスライドにより受部材４７の付着物を除去することができ、選別効率を向上できる。
請求項５の発明では、請求項４の上記効果を奏するほかに、可動ラック５０により排出口２５からの被処理物を分散落下させ、また、固定式ラック５１に対して可動ラック５０を移動させることにより、可動ラック５０と固定式ラック５１との間隔を変化させて可動ラック５０および固定式ラック５１上に載った被処理物の捌きを良好にすることができる。
【発明を実施するための最良の形態】
【０００６】
本発明の一実施例をコンバインの例にて図面により説明すると、１はコンバインの機体フレーム、２は左右一対のクローラ３により走行する走行装置、４は機体フレーム１の上方に設けた脱穀装置、５は脱穀装置３の前側に設けた刈取部、６は脱穀装置４の側部に設けたグレンタンク、７はグレンタンク５の前方に設けた操縦部である。
前記脱穀装置４は、上部に扱胴１０を略水平に軸装した脱穀室１１を設け、脱穀室１１の一側には前記刈取部４により刈り取った穀稈を供給搬送する穀稈供給搬送装置１２の穀稈を挾持搬送する挾扼杆１３Ａと供給搬送チエン１３Ｂ（図６）を設けている。１４は穀稈供給搬送装置１２から引き継いだ脱穀済みの排藁を搬送する排藁搬送装置である。
なお、理解を容易にするため、便宜的に方向を示して説明しているが、これらにより構成が限定されるものではない。
扱胴１０の主として下方側は扱網１５により包囲し、扱網１５の下方には唐箕１６の唐箕ケーシング１７を設ける。前記脱穀室１１の下方には前記唐箕１６の送風により穀粒と異物とを風選し得る風選室１８を形成し、風選室１８内には唐箕１６の送風方向（前後方向）に往復揺動する揺動選別棚２０により構成した揺動選別装置２１を設ける。
【０００７】
揺動選別装置２１は、その揺動選別棚２０の始端部（前端部）を唐箕ケーシング１２の上方に位置させて移送棚部２２に形成する。移送棚部２２の構成は任意であり、移送方向下手側を低く傾斜させたり、あるいは、移送棚部２２の上面に突起や凹凸を設けて、揺動選別装置２１の移送方向下手側のシーブ（グレンシーブ）２３に向けて扱網１５からの落下物を移送できればよい。
前記シーブ２３は脱穀室１１の排出口２５よりも上手側に設けた傾斜角度が固定の始端側固定シーブ２６と、排出口２５の下方から下手側に設けた傾斜角度調節自在の終端側可動シーブ２５とにより構成する。
始端側固定シーブ２６は、扱網１５より落下した穀粒と異物とを選別するものであり、所定間隔をおいて揺動方向に複数並設し、薄い平板形状に形成し、移送方向の下手側（後側）が高くなるように傾斜させて設ける。
終端側可動シーブ２７は任意の構成により前記揺動選別棚２０に傾斜角度調節自在に取付けると共に、始端側固定シーブ２６は終端側可動シーブ２７より間隔を狭くして並設し、藁屑の落下を抑制している。
【０００８】
しかして、始端側固定シーブ２６には、該始端側固定シーブ２６と直交する方向のプレート３０を設ける。該プレート３０は始端側固定シーブ２６の各フィン３１をレール(案内体）として始端側固定シーブ２６の長さ方向に移動自在に構成する。
プレート３０は、各フィン３１間を塞ぐ付着した藁屑を移動しながら取り除くものであり、穀粒の回収ロスを軽減する。
即ち、湿った穀稈の脱穀作業では、各フィン３１に藁屑が付着しやすく、この付着した藁屑により穀粒の落下が阻害され、穀粒の回収効率が低下するが、プレート３０により作業中に湿ったフィン３１に付着する藁屑等を除去して、各フィン３１間の隙間を確保して、穀粒の落下を円滑にさせて、穀粒の回収効率を向上させる。
前記プレート３０の下側延長部３２の下縁は、前記揺動選別棚２０の傾斜底板３３の上縁に近接させ、プレート３０が移動する際に傾斜底板３３上面の付着物の除去する作用も期待する。
【０００９】
前記プレート３０は縦向きの平板状に形成し、各プレート３０には前記フィン３１の断面形状に合わせた透孔３４を複数形成し、各透孔３４に各フィン３１を挿通して取付ける。
そのため、プレート３０は移動する際にフィン３１の上下両面の付着物を除去する。
即ち、湿った穀稈の脱穀作業では、作業中に湿ったフィン３１の下面にも藁屑等が付着して各フィン３１間の隙間を塞ぐが、プレート３０によりフィン３１の下面の付着物の除去も可能となって、各フィン３１間の隙間を確保して、穀粒の落下を円滑にさせて、穀粒の回収効率を向上させ、湿材適応性を向上させられる。
この場合、透孔３４はプレート３０にフィン３１と同じ数だけ複数形成されるが、複数の透孔３４のうちの二つのガイド透孔３４Ａは他の透孔３４Ｂに比してフィン３１との隙間を小に形成する。
【００１０】
即ち、始端側固定シーブ２６のフィン３１の複数の透孔３４のうちの二つのガイド透孔３４Ａは、他の透孔３４Ｂに比してフィン３１との隙間が小となるように、透孔３４とフィン３１とを相対的に形成し、二つのガイド透孔３４Ａがプレート３０の移動を案内するように構成する。
したがって、ガイド透孔３４Ａは、プレート３０の移動を円滑に案内するように複数の透孔３４のうちの二つを選択すればよく、具体的には前後二箇所の透孔３４をガイド用透孔３４Ａとしている。
また、透孔３４とフィン３１とを相対的に形成するため、フィン３１と透孔３４の隙間に関し、具体的には、例えば、複数の透孔３４のうちの二つのガイド透孔３４Ａに形成するように、図示は省略するが、各フィン３１の厚さは全て略同一とし、ガイド透孔３４Ａの孔幅を他の透孔３４Ｂより狭く形成して隙間を小に形成する。
【００１１】
また、図６のように、各透孔３４の大きさは全て略同一とし、ガイド透孔３４Ａに挿通されるフィン３１Ａの板厚を他のフィン３１Ｂに比して厚く形成してガイド透孔３４Ａとの隙間を小に形成するように構成しても良い。
前記プレート３０には、揺動選別棚２０の始端部の移送棚部２２上方に位置する前側延長部３７を一体的に移動するように設ける。
図７〜図９の前側延長部３７はプレート３０と平面視直線状となるように一体的に形成している。
前側延長部３７はプレート３０と共に一体的に移動することにより、移送棚部２２上方に付着している付着物を除去すると共に、移送棚部２２上の脱穀室１１からの落下物を穀稈供給搬送装置１２を設けた側に寄せる寄せ板の作用を期待する。
【００１２】
即ち、移送棚部２２上には、穀稈供給搬送装置１２が搬送する穀稈の穂先側に多くの落下物が落下する傾向があるので、この落下物を搬送穀稈の根本側となる穀稈供給搬送装置１２側に前側延長部３７が寄せることにより、移送棚部２２上の落下物を均平させ、揺動選別棚２０における選別効率を向上させる。
また、図１０の前側延長部３７の実施例では、プレート３０に対して、平面視前側を搬送穀稈の穂先側に位置させ、後側に至るに従い搬送穀稈の根本側に位置するように傾斜させて設け、一層、前側延長部３７の寄せ作用を向上させて、揺動選別棚２０における選別効率を向上させる。
しかして、図１１，図１２は、前記プレート３０の別の実施例であり、プレート３０の断面形状を上下中間所定位置が最も幅広い幅広部となるように側方に突出させた頂部４０に形成し、プレート３０の上縁所定位置から頂部４０迄下方に至るに従い幅を広くさせて上部傾斜面４１を形成し、頂部４０から下方の所定位置までは下方に至るに従い幅狭となるように傾斜させて下部傾斜面４２に形成している。
【００１３】
そして、頂部４０の位置をフィン３１の屈曲部４５に合わせている(なお、図１２において、理解を容易にするために、側面図に仮想の正面図を重ね合わせて表現している)。
そのため、プレート３０によりフィン３１の付着物を除去する際に、上部傾斜面４１および下部傾斜面４２がフィン３１の上下両面に斜めに接触し、付着物の除去を円滑に行える。
前記プレート３０は、合成樹脂材で形成すると、軽量化してコストダウンすることができ、また、プレート３０の形状の選択の自由度も向上させて、好適である。
【００１４】
しかして、前記脱穀室１１の排出口２５の下方の揺動選別棚２０には、左右方向の受部材４７を設け、前記プレート３０はこの受部材４７に対しても移動自在に透孔４８を挿通させて取付ける。
この場合、プレート３０は左右方向に複数並設し、各プレート３０がフィン３１および受部材４７に対して移動するように構成する。
この各プレート３０には、前記排出口２５の下方に位置する可動ラック５０を一体的に移動するように設ける。
可動ラック５０はプレート３０と共に一体的に移動することにより、排出口２５からの被処理物を分散落下させる。
また、可動ラック５０と共にプレート３０が一体的に移動することにより、受部材４７に付着した付着物を除去する。
【００１５】
しかして、前記各プレート３０に設けた可動ラック５０の間には、固定式ラック５１を設ける。固定式ラック５１は可動ラック５０と共に脱穀室１１の排出口２５からの被処理物を揺動選別棚２０と共に揺動して分散落下させ、固定式ラック５１に対して可動ラック５０を移動させることにより、可動ラック５０と固定式ラック５１との間隔を変化させて可動ラック５０および固定式ラック５１上に載った被処理物の捌きを良好にする。
しかして、上記のプレート３０を左右方向にスライドさせる構成は任意であるが、一例を示すと、移送棚部２２に螺子軸５３を掛け渡し、螺子軸５３に各プレート３０を螺合させ、螺子軸５３をモータ５４により回転させて各プレート３０を移動させている。
そして、このモータ５４は、刈取部４の上下に連動させて回転するように構成する。
【００１６】
そのため、刈取部４の上下に連動させてプレート３０をスライドさせるので、圃場で回行するとき等の刈取部４の上下する度に、自動的に、プレート３０がスライドしてフィン３１に付着している付着物の除去を行え、操作性および作業性を向上させることができる。
６０は終端側可動シーブ２７の下手側に設けたストローラック、６１は揺動選別棚２０の下方所定位置に設けた一番コンベア(図示省略)を有する一番受樋、６２は一番コンベア６１の後側に設けた二番コンベア(図示省略)を有する二番番受樋、６３は吸引排塵ファン、６４は吸引排塵ファン６３のケーシングである。
【００１７】
（実施例の作用）
刈り取られた穀稈は、脱穀室１１で回転する扱胴１０により脱穀され、脱穀された被処理物は、扱網１５から漏下して揺動選別棚２０の始端部の移送棚部２２に落下し、移送棚部２２からシーブ２３の始端側固定シーブ２６に移送されて選別され、更に、唐箕１６からの送風と、風選室１８内で往復揺動する揺動選別棚２０の終端側可動シーブ２７とにより選別される。
しかして、脱穀室１１では、その始端部で多くの穀粒が扱網１５から漏下して揺動選別棚２０の移送棚部２２上に落下するので、揺動選別棚２０のシーブ２３のうち始端側で穀粒を回収すると、回収効率および精度が向上する。
【００１８】
そこで、脱穀室１１の排出口２５より手前に間隔の狭い始端側固定シーブ２６を設け、始端側固定シーブ２６により穀粒を回収する。
この場合、始端側固定シーブ２６は終端側可動シーブ２７より間隔を狭くしているので、始端側固定シーブ２６に藁屑が付着すると、始端側固定シーブ２６の間の隙間が狭くなり過ぎて穀粒の落下の障害となるが、左右方向に移動するプレート３０により藁屑を除去するので、始端側固定シーブ２６を終端側可動シーブ２７より間隔を狭くしても、脱穀室１１の始端部で発生する多くの穀粒を効率よくしかも藁屑の混入を抑制して回収する。
即ち、シーブ２３の始端側固定シーブ２６には、該始端側固定シーブ２６と直交する方向のプレート３０を設け、プレート３０は始端側固定シーブ２６の各フィン３１をレール(案内体）として始端側固定シーブ２６の長さ方向に移動自在に構成しているから、プレート３０は始端側固定シーブ２６の各フィン３１間を塞ぐように付着した藁屑等を移動しながら取り除くことができ、穀粒の回収ロスを軽減する。
【００１９】
この場合、プレート３０の下側延長部３２の下縁は、揺動選別棚２０の傾斜底板３３の上縁に近接させているから、プレート３０が移動する際に傾斜底板３３上面の付着物の除去することができ、選別効率を向上させる。
プレート３０にはフィン３１の断面形状に合わせた透孔３４を複数形成し、各透孔３４に各フィン３１を挿通して取付けているから、プレート３０が移動する際にはフィン３１の上下両面の付着物を除去する。
したがって、特に、湿った穀稈の脱穀作業では、始端側固定シーブ２６のフィン３１の下面にも藁屑等が付着して各始端側固定シーブ２６間の隙間を塞ぐ範囲が広がるが、プレート３０により始端側固定シーブ２６のフィン３１の下面の付着物の除去できるから、各始端側固定シーブ２６間の隙間を確保して、穀粒の落下を円滑にさせて、穀粒の回収効率を向上させ、湿材適応性を向上させられる。
【００２０】
また、シーブ２３の始端側固定シーブ２６は、唐箕ケーシング１２の上方に位置して唐箕１６の送風の手前に位置するので、選別風による乾燥が充分でないだけに付着物が付着する可能性が高く、この点でも、始端側固定シーブ２６の付着物をプレート３０により除去することで、穀粒の回収効率を向上させられる。
なお、終端側可動シーブ２７の間隔は始端側固定シーブ２６より広いため、詰まり発生を抑制し、藁屑の付着はそれほど作業の障害とならず、終端側可動シーブ２７へのプレート３０の装着を省略して、コストを抑制する。
しかして、プレート３０の透孔３４は、プレート３０に始端側固定シーブ２６のフィン３１と同じ数だけ複数形成されるが、複数の透孔３４のうちの二つのガイド透孔３４Ａは他の透孔３４Ｂに比してフィン３１との隙間を小に形成しているから、二つのガイド透孔３４Ａがプレート３０の移動を案内し、付着物の除去を円滑に行える。
【００２１】
しかして、プレート３０には、揺動選別棚２０の始端部の移送棚部２２上方に位置する前側延長部３７を一体的に移動するように設けているから、前側延長部３７はプレート３０と共に一体的に移動することにより、移送棚部２２上方に滞留する脱穀室１１からの落下物を穀稈供給搬送装置１２を設けた側に寄せる寄せ板の作用を期待する。
したがって、前側延長部３７が移送棚部２２上の被処理物を穀稈供給搬送装置１２を設けた側に寄せることにより、移送棚部２２上の落下物を均平させ、揺動選別棚２０における選別効率を向上させる。
【００２２】
しかして、図１１，１２の前記プレート３０の別の実施例では、プレート３０の断面形状を上下中間所定位置が最も幅広い幅広部の頂部４０に形成し、プレート３０の上縁所定位置から頂部４０迄下方に至るに従い幅を広くさせて上部傾斜面４１を形成し、頂部４０から下方の所定位置までは下方に至るに従い幅狭となるように傾斜させて下部傾斜面４２に形成しているから、プレート３０によりフィン３１の付着物を除去する際に、上部傾斜面４１および下部傾斜面４２がフィン３１の上下両面に斜めに接触し、付着物の除去を円滑に行え、しかも、プレート３０の左右両側面に頂部４０および下部傾斜面４２を形成しているから、プレート３０が往復する何れのときも付着物の除去を容易にする。
【００２３】
しかして、前記脱穀室１１の排出口２５の下方の揺動選別棚２０に左右方向の受部材４７を設け、該受部材４７に対してプレート３０を移動自在に取付けているから、可動ラック５０と共にプレート３０が一体的に移動することにより、受部材４７に付着した付着物を除去する。
また、可動ラック５０はプレート３０と共に一体的に移動することにより、排出口２５からの被処理物を分散落下させる。
しかして、プレート３０は可動ラック５０に合わせて左右方向に複数設け、各プレート３０に設けた可動ラック５０の間に、固定式ラック固定式ラック５１を設けているから、固定式ラック５１は可動ラック５０と共に脱穀室１１の排出口２５からの被処理物を揺動選別棚２０と共に揺動して分散落下させ、固定式ラック５１に対して可動ラック５０を移動させることにより、可動ラック５０と固定式ラック５１との間隔を変化させて可動ラック５０および固定式ラック５１上に載った被処理物の捌きを良好にする。
【００２４】
しかして、プレート３０のスライドモータ５４は、刈取部４の上下に連動させて行うように構成しているから、圃場で回行するとき等の刈取部４の上下する度に、自動的に、プレート３０がスライドしてフィン３１に付着している付着物の除去を行え、操作性および作業性を向上させることができる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
例えば、プレート３０と前側延長部３７と可動ラック５０とを別々に図示しているが、これらを一体にすること等各実施例を組み合わせることは可能である。
【図面の簡単な説明】
【００２５】
【図１】コンバインの側面図。
【図２】脱穀装置の側面図。
【図３】揺動選別棚の平面図。
【図４】シーブ付近の側面図。
【図５】シーブとプレート付近の側面図。
【図６】同側面図。
【図７】プレートの他の実施例の側面図。
【図８】同シーブとプレート付近の側面図。
【図９】同平面図。
【図１０】プレートの前側延長部の他の実施例の平面図。
【図１１】プレートの他の実施例の平面図。
【図１２】同プレートの側面図および仮想正面図。
【図１３】プレートおよびラックの他の実施例の側面図。
【図１４】同側面図。
【図１５】同側面図。
【図１６】揺動選別棚の平面図。
【符号の説明】
【００２６】
１…機体フレーム、２…走行装置、３…脱穀装置、４…刈取部、５…グレンタンク、７…操縦部、１０…扱胴、１１…脱穀室、１２…穀稈供給搬送装置、１３Ａ…挾扼杆、１３Ｂ…供給搬送チエン、１５…扱網、１６…唐箕、１７…唐箕ケーシング、１８…風選室、２０…揺動選別棚、２１…揺動選別装置、２２…移送棚部、２３…シーブ、２５…排出口、２６…始端側固定シーブ、２７…終端側可動シーブ、３０…プレート、３１…フィン、３３…傾斜底板、３２…下側延長部、３４…透孔、３７…前側延長部、４０…頂部、４１…上部傾斜面、４２…下部傾斜面、４５…屈曲部、２５…排出口、４７…受部材、４８…透孔、５０…可動ラック、５１…固定式ラック、５３…螺子軸、５４…モータ。
【図１】
0005136756.tif 000002
【図２】
0005136756.tif 000003
【図３】
0005136756.tif 000004
【図４】
0005136756.tif 000005
【図５】
0005136756.tif 000006
【図６】
0005136756.tif 000007
【図７】
0005136756.tif 000008
【図８】
0005136756.tif 000009
【図９】
0005136756.tif 000010
【図１０】
0005136756.tif 000011
【図１１】
0005136756.tif 000012
【図１２】
0005136756.tif 000013
【図１３】
0005136756.tif 000014
【図１４】
0005136756.tif 000015
【図１５】
0005136756.tif 000016
【図１６】
0005136756.tif 000017